(57)【要約】      （修正有）【課題】固形燃料の形を変えることなく、比較的簡易な形状で固形燃料の初期火力を高めることができる燃焼補助具を提供する。【解決手段】アルコールを主成分とする固形燃料の周囲に配置され、固形燃料の初期火力を高めるための燃焼補助具１０であって、燃焼補助具の高さは、固形燃料の高さより高く、かつ、燃焼中の固形燃料に空気を供給するための貫通孔１２又は切欠きが形成されていることを特徴とする燃焼補助具。【選択図】図１
2016217569.tif 000002
【特許請求の範囲】
【請求項１】
アルコールを主成分とする固形燃料の周囲に配置され、前記固形燃料の初期火力を高めるための燃焼補助具であって、
前記燃焼補助具の高さは、前記固形燃料の高さより高く、かつ、
燃焼中の前記固形燃料に空気を供給するための貫通孔又は切欠きが形成されていることを特徴とする燃焼補助具。
【請求項２】
前記燃焼補助具は、アルミニウム、銅、ステンレス、鉄、グラファイト、チタン、ガラス、及び、セラミックからなる群から選ばれる少なくとも１種からなる請求項１に記載の燃焼補助具。
【請求項３】
前記燃焼補助具は、円筒形状であり、その直径は２０ｍｍ以上、その高さは１０ｍｍ以上、１００ｍｍ以下である請求項１又は２に記載の燃焼補助具。
【請求項４】
前記燃焼補助具には、前記貫通孔又は前記切欠きが２箇所以上形成されている請求項１〜３のいずれかに記載の燃焼補助具。
【請求項５】
前記燃焼補助具には、前記貫通孔又は前記切欠きが前記固形燃料の周囲に形成されている請求項４に記載の燃焼補助具。
【請求項６】
前記貫通孔又は前記切欠きは、対向する２辺が他の対向する２辺に比べてより長い略四角形状であり、該燃焼補助具が載置された面に対し、前記貫通孔のより長い２辺が斜め方向となるように形成されている請求項４又は５に記載の燃焼補助具。
【請求項７】
底部が形成されている請求項１〜６のいずれかに記載の燃焼補助具。
【発明の詳細な説明】
【技術分野】
【０００１】
本発明は、燃焼補助具に関する。
【背景技術】
【０００２】
調理済み料理や調理用材料等の加熱用燃料として、円柱状の燃料固形物が樹脂フィルムで密封された固形燃料が知られている。この燃料固形物はアルコールを主成分とし、その他にアルコールを固化するための固形分としての石鹸成分が配合されている。
【０００３】
固形燃料は、旅館や飲食店等で一人用の鍋の加熱に用いられることが多く、鉄、ステンレス等の金属製で有底の円筒状の加熱コンロに固形燃料が配置され、火炎を発生させることにより調理用材料の調理又は調理済み料理の加熱が行われる。
【０００４】
固形燃料を用いた調理済み料理や調理用材料等の加熱では、料理が出来上がるのを待っている顧客のために、固形燃料を強い火力で安定的に燃焼させ、早く調理又は加熱を完了させることが望ましく、火飛び等を発生させることなく、初期火力を強めるために、種々の工夫がなされている。
特許文献１には、固形燃料を細切れ状固形燃料とし、該固形燃料を包装した内装用樹脂フィルム又はシートの全週側面部において、難燃性材が山部と谷部との縁部を有して接着又は接合され、空気接触面を大きくした固形燃料が開示されている。
【先行技術文献】
【特許文献】
【０００５】
【特許文献１】特許第４２５６０３０号公報
【発明の概要】
【発明が解決しようとする課題】
【０００６】
特許文献１に記載された固形燃料では、固形燃料の形状や難燃性材の形状を工夫することにより、空気接触面を大きくし、初期火力を強めることができるが、固形燃料の形状や難燃性材の形状を変えようとすると、そのために設備又は工程が必要となり、コストアップの原因となってしまうという問題があった。
【０００７】
本発明は、上述した従来の固形燃料が有する問題点を解決するためになされたものであり、固形燃料の形を変えることなく、比較的簡易な形状で固形燃料の初期火力を高めることができる燃焼補助具を提供することを目的とする。
【課題を解決するための手段】
【０００８】
上記目的を達成するための本発明の燃焼補助具は、アルコールを主成分とする固形燃料の周囲に配置され、上記固形燃料の初期火力を高めるための燃焼補助具であって、上記燃焼補助具の高さは、上記固形燃料の高さより高く、かつ、燃焼中の固形燃料に空気を供給するための貫通孔又は切欠きが形成されていることを特徴とする。
【０００９】
上記燃焼補助具では、該燃焼補助具が固形燃料の周囲に配置されているので、上記固形燃料が燃焼しているときに放射される熱は、上記燃焼補助具に吸収又は反射され、その結果、上記燃焼補助具より固形燃料に向けて放射熱が放射される。このため、上記放射熱が固形燃料に蓄熱され、固形燃料の温度をより早く上昇させることができ、アルコールの蒸発を促進するため、固形燃料の初期火力を高めることができる。そのため、調理用材料の調理又は調理済み料理の加熱をより短時間で行うことができる。
【００１０】
また、上記燃焼補助具には、貫通孔又は切欠きが形成されており、固形燃料が燃焼している際、周囲から連続的に空気が供給されるため、不完全燃焼を防止することができ、燃焼初期から固形燃料をより強い火力で燃焼させることができる。
【００１１】
また、上記燃焼補助具が衝立となり、エアコンや扇風機等に起因する空気の流動により固形燃料の炎が揺らぎ、調理の対象である鍋底等の加熱対象に炎が当たらなくなるのを防止することができる。
さらに、固形燃料の周囲に燃焼補助具が存在するので、空気の供給速度等を制御することができ、固形燃料が万一火飛びしたときに遮蔽することができる。
【００１２】
本発明の燃焼補助具は、アルミニウム、銅、ステンレス、鉄、グラファイト、チタン、ガラス、及び、セラミックからなる群から選ばれる少なくとも１種からなることが望ましい。
上記燃焼補助具が上記した部材からなると、耐熱性を有し、固形燃料の燃焼により温度が上昇すると、固形燃料に対して熱を放射し易いので、固形燃料の温度をより早く上昇させることができ、固形燃料の初期火力を高めることができる。
【００１３】
本発明の燃焼補助具は、円筒形状であり、その直径は２０ｍｍ以上、その高さは１０ｍｍ以上、１００ｍｍ以下であることが望ましい。
上記燃焼補助具が円筒形状であり、その直径は２０ｍｍ以上、その高さは１０ｍｍ以上、１００ｍｍ以下であると、周囲からの空気の供給や燃焼補助具からの放射熱が適切となり、固形燃料の初期火力をより高めることができる。
一方、燃焼補助具を用いず、図１０に示すような構成の加熱コンロのみで固形燃料を燃焼する場合、加熱コンロの開孔から供給される冷たい空気により固形燃料が冷やされ、燃焼が抑制されることがある。しかし、上記燃焼補助具をコンロの内側に設置することにより、加熱コンロの開孔から供給される空気が、上記燃焼補助具の貫通孔を通る際に加熱され、固形燃料の温度を上昇させ、初期火力を高める効果もある。
【００１４】
本発明の燃焼補助具には、上記貫通孔又は上記切欠きが２箇所以上形成されていることが望ましい。
上記燃焼補助具に上記貫通孔又は上記切欠きが２箇所以上形成されていると、固形燃料の燃焼中により多くの空気が供給されるため、固形燃料の初期火力をより高めることができる。
【００１５】
本発明の燃焼補助具において、上記貫通孔又は上記切欠きが上記固形燃料の周囲に形成されていることが望ましい。
上記燃焼補助具において、上記貫通孔又は上記切欠きが上記固形燃料の周囲に形成されていると、炎の周囲に上記貫通孔又は上記切欠きに起因する安定的な上昇気流が形成されるため、炎を収束させることができ、より効率よく、炎を鍋底等の加熱対象に当てることができ、効率的に加熱することができる。
【００１６】
本発明の燃焼補助具において、上記貫通孔又は上記切欠きは、対向する２辺が他の対向する２辺に比べてより長い略四角形状であり、該燃焼補助具が載置された面に対し、上記貫通孔のより長い２辺が斜め方向となるように形成されていることが望ましい。
【００１７】
上記燃焼補助具が、上記のように構成されていると、空気が中心の炎に対して渦を巻くように供給されるため、炎が収束され易く、より効率よく鍋底等の加熱対象に炎が当たり、より熱効率を高めることができる。
【００１８】
本発明の燃焼補助具においては、底部が形成されていることが望ましい。
上記燃焼補助具に底部が形成されていると、燃焼補助具の底部に固形燃料を載置し、そのまま加熱コンロに配置し、鍋底等の加熱対象物を加熱することができる。
【発明の効果】
【００１９】
本発明の燃焼補助具は、固形燃料の燃焼により温度が上昇すると、放射熱により固形燃料を再加熱するため、アルコールの蒸発が促進され、固形燃料の初期火力を高めることができる。また、燃焼補助具の貫通孔又は切欠きにより、周囲から連続的に空気が供給されるため、不完全燃焼を防止することができる。また、上記燃焼補助具の存在により、空気の流動により固形燃料の炎が揺らぎ、調理の対象である鍋底等の加熱対象に炎が当たらなくなるのを防止することができる。さらに、固形燃料の周囲に燃焼補助具が存在するので、空気の供給速度等を制御することができ、固形燃料が万一火飛びしたときに遮蔽することができる。
【図面の簡単な説明】
【００２０】
【図１】図１は、燃焼補助具の一例を模式的に示す斜視図である。
【図２】本発明の燃焼補助具が使用された加熱コンロの一例を示す斜視図である。
【図３】図３は、燃焼補助具の別の一例を模式的に示す斜視図である。
【図４】図４（ａ）は、燃焼補助具のさらに別の一例を模式的に示す斜視図であり、図４（ｂ）は、図４（ａ）に示した燃焼補助具の変形例である。
【図５】図５は、燃焼補助具のさらに別の一例を模式的に示す斜視図である。
【図６】図６は、燃焼補助具のさらに別の一例を模式的に示す斜視図である。
【図７】図７（ａ）は、燃焼補助具のさらに別の一例を模式的に示す斜視図であり、図７（ｂ）は、図７（ａ）に示す燃焼補助具の一部を平面状に展開して示した展開図である。
【図８】図８は、図１に示した燃焼補助具の変形例である。
【図９】図９（ａ）は、燃焼補助具を用いない場合の固形燃料の燃焼状態を示す写真であり、図９（ｂ）は、図１に示す燃焼補助具を用いた場合の固形燃料の燃焼状態を示す写真であり、図９（ｃ）は、図７に示す燃焼補助具を用いた場合の固形燃料の燃焼状態を示す写真である。
【図１０】図１０は、本発明の燃焼補助具が用いられる加熱コンロの別の一例を示す斜視図である。
【図１１】図１１は、本発明の燃焼補助具が用いられる加熱コンロのさらに別の一例を示す斜視図である。
【図１２】図１２は、本発明の燃焼補助具が用いられる加熱コンロのさらに別の一例を示す斜視図である。
【発明を実施するための形態】
【００２１】
以下、本発明の燃焼補助具について、具体的な実施形態を示しながら説明するが、本発明はこれらの実施形態だけに限定されるものではない。
【００２２】
本発明の燃焼補助具は、アルコールを主成分とする固形燃料の周囲に配置され、前記固形燃料の初期火力を高めるための燃焼補助具であって、前記燃焼補助具の高さは、前記固形燃料の高さより高く、かつ、燃焼中の前記固形燃料に空気を供給するための貫通孔又は切欠きが形成されていることを特徴とする。
【００２３】
図１は、燃焼補助具の一例を模式的に示す斜視図である。
【００２４】
図１に示す燃焼補助具１０は、側面１１に複数の長方形の貫通孔１２が形成された円筒形状の仕切板である。
これらの貫通孔１２は、燃焼中の固形燃料に空気を供給するために用いられており、その数は、特に限定されるものではないが、側面に２箇所以上形成されていることが望ましく、充分に空気を供給するためには、側面全体に一定の間隔で設けられていることがより望ましい。
【００２５】
図１では、貫通孔が形成されているが、本発明の燃焼補助具には、必ずしも貫通孔が形成されている必要はなく、切欠きが形成されていてもよい。切欠きの数も、特に限定されるものではないが、側面に２箇所以上形成されていることが望ましく、充分に空気を供給するためには、側面全体に一定の間隔で設けられていることがより望ましい。なお、切欠きの形状は、切欠きのない円筒形状等から切り取った破片の形状をいうものとする。
貫通孔や切欠きの面積は、１００〜１０００ｍｍ２が望ましく、その形状は、特に限定されるものではなく、長方形等の多角形、円形、楕円形等があげられるが、高さ方向が長い長方形が好ましい。多角形の場合、角部に曲線面取りが行われていてもよい。
【００２６】
本発明の燃焼補助具に形成される貫通孔又は切欠きは、対向する２辺が他の対向する２辺に比べてより長い略四角形状であり、該燃焼補助具が載置された面に対し、貫通孔のより長い２辺が斜め方向となるように形成されていることが望ましい。
上記燃焼補助具が、上記のように構成されていると、空気が中心の炎に対して渦を巻くように供給されるため、火炎が収束され易くなる。
【００２７】
図１に示す燃焼補助具１０は、円筒形状であるが、その形状は、特に限定されるものではなく、平面視した形状は、多角形状でも、楕円形状であってもよい。また、固形燃料を載置するために底部が形成されていたり、火炎を通過させるための貫通孔を有する天井壁が形成されていてもよいが、比較的単純な形状の方が低価格を実現させるためにも好ましいので、底面や天井壁を有さず、側面のみを有する燃焼補助具が好ましい。
【００２８】
さらに、上記燃焼補助具の側面は、必ずしも載置する面に垂直に形成されている必要はなく、上部の径が大きくなるように、上方に拡がっている形状でもよい。
【００２９】
上記した燃焼補助具の材料は特に限定されるものではないが、例えば、鉄、アルミニウム、銅、ステンレス、グラファイト、チタン、ガラス、及び、セラミックからなる群から選ばれる少なくとも１種からなるものが挙げられる。
セラミックとしては、陶磁器、アルミナ、ジルコニア、コージュライト、ムライト等の酸化物セラミック等が挙げられる。
また、燃焼補助具は、板材、鋳造材、押出材、クラッド材、網地、パンチングメタル、エキスパンドメタル等を加工することにより形成したものであってよい。
【００３０】
上記燃焼補助具が円筒形状である場合、その直径は２０ｍｍ以上、その高さは１０ｍｍ以上、１００ｍｍ以下であることが望ましい。また、その直径は５０ｍｍ以上であることがより望ましく、その高さは２０ｍｍ以上、５０ｍｍ以下であることがより望ましい。
【００３１】
上記燃焼補助具の直径が２０ｍｍ未満であると、固形燃料を燃焼補助具の内部に入れることが困難になる場合がある。また、燃焼補助具の高さが１０ｍｍ未満であると、燃焼補助具の高さが低すぎるため、燃焼補助具としての効果を発揮することが難しくなり、一方、燃焼補助具の高さが１００ｍｍを超えると、加熱対象となる鍋等を高い位置にセットする必要が生じ、固形燃料の火炎が届きにくくなり、加熱対象を充分に加熱することが難しくなる。
【００３２】
図２は、本発明の燃焼補助具が使用された加熱コンロの一例を示す斜視図である。
図２に示す加熱コンロ２０は、上部が開口した箱形状をなしており、四角形状の底部２１と底部２１の周囲に形成された側壁部２２とからなり、上部は開口している。側壁部２２の上部には、内側に張り出した張出部２５が設けられており、この張出部２５に容器を支持するための五徳２３が形成されている。また、底部２１の中央には、固形燃料２４を載置するための固形燃料載置部２１ａが形成されている。燃焼補助具１０は、図２に示すように、固形燃料２４の周囲を囲むように配置されている。
【００３３】
図３は、燃焼補助具の別の一例を模式的に示す斜視図であり、この燃焼補助具３０では、下部に比べて上部の径が大きくなるように拡大された形状となっている。
燃焼補助具は、図３に示すように、円筒形状で上部の径が大きくなるように拡大された形状で、その側面３１に複数の長方形の貫通孔３２が形成されていてもよい。
このように上部の径が大きくなるように拡大された形状であると、貫通孔３２の上部が外側に向けて張り出しているので、空気が流通し易く、火炎に対して空気を充分に供給することができるため、初期火力をより強めることができる。
【００３４】
図４（ａ）は、燃焼補助具のさらに別の一例を模式的に示す斜視図であり、図４（ｂ）は、図４（ａ）に示した燃焼補助具の変形例である。図４（ａ）及び図４（ｂ）に示すように、側面に貫通孔を形成するために切込みを入れ、切込みを入れた部分（切込み部）を切り取らず、折り返したまま残してもよい。
すなわち、図４（ａ）に示す燃焼補助具４０では、切込みを入れることにより側面４１に長方形の貫通孔４２が形成されているが、貫通孔４２を構成する辺のうち、燃焼補助具４０が載置された底面に垂直な辺４２ａには切込みが入れられておらず、貫通孔４２の上記底面に垂直な辺４２ａで折り返されて折り返し部４３が形成されている。
一方、図４（ｂ）に示す燃焼補助具４０´では、貫通孔４２´を構成する辺のうち、燃焼補助具４０´が載置された底面に平行な上の辺４２ｂ´には切込みが入れられておらず、貫通孔４２´の上記底面に平行な上の辺４２ｂ´で折り返されて折り返し部４３´が形成されている。
上記燃焼補助具では、貫通孔４２、４２´を介した空気の流通に問題はなく、固形燃料の初期火力を強めることができる。
【００３５】
図５は、燃焼補助具のさらに別の一例を模式的に示す斜視図である。図５に示すように、燃焼補助具を構成する貫通孔が側面の最上部まで到達した形の切欠きが形成されていてもよい。
すなわち、図５に示す燃焼補助具５０では、側面５１の最上部から切込みを入れて形成した複数の長方形の切欠き５２を有している。
燃焼補助具に切欠きを形成した場合であっても、切欠き部分を介して空気が固形燃料の火炎に流通しやすいので、初期火力を強めることができる。
【００３６】
図６は、燃焼補助具のさらに別の一例を模式的に示す斜視図であり、この燃焼補助具では、側面に半円形状の切欠きが形成されている。
すなわち、図６の燃焼補助具６０では、側面６１の最上部から切込みを入れて形成した複数の楕円形の一部からなる切欠き６２を有している。
この燃焼補助具６０では、半円形状の切欠き６２部分を介して空気が固形燃料の火炎に流通しやすいので、初期火力を強めることができる。
【００３７】
図７（ａ）は、燃焼補助具のさらに別の一例を模式的に示す斜視図であり、図７（ｂ）は、図７（ａ）に示す燃焼補助具の一部を平面状に展開して示した展開図である。
【００３８】
図７（ａ）に示す燃焼補助具７０では、側面に対向する２辺が他の対向する２辺に比べてより長い略四角形状であり、該燃焼補助具が載置された面に対し、上記貫通孔のより長い２辺が斜め方向となるように形成されている。
貫通孔の形状は、特に限定されるものではなく、その形状としては、例えば、長方形、楕円形、平行四辺形等があげられる。
【００３９】
図７（ｂ）の展開図に示すのは、上記貫通孔の一例であり、この場合、貫通孔の形状は、平行四辺形となっている。そして、平行四辺形の下辺７２ａは、載置される面に平行になるように形成されており、下辺７２ａに隣接する斜辺７２ｂの下辺７２ａの延長線とのなす角度αは、９０°より小さい角度であるが、３０〜４５°が好ましい。
このように、側面に複数の貫通孔が斜め方向に形成されていると、空気が中心の炎に対して渦を巻くように供給されるため、炎が収束され易く、より効率よく鍋底等の加熱対象に炎が当たり、より熱効率を高めることができる。
【００４０】
図８は、図１に示した燃焼補助具１０の変形例である。
図８に示す燃焼補助具１０´では、上部に着火用ライター１４を挿入して容易に固形燃料２４に着火できるように、切欠き１３´が形成されており、その部分に貫通孔が形成されていないほかは、図１に示す燃焼補助具１０とほぼ同様に構成されている。
着火用ライターを挿入するための切欠き又は貫通孔は、必要に応じ、本発明の如何なる形状の燃焼補助具に形成されていてもよい。
【００４１】
図９（ａ）は、燃焼補助具を用いない場合の固形燃料の燃焼状態を示す写真であり、図９（ｂ）は、図１に示す燃焼補助具１０を用いた場合の固形燃料の燃焼状態を示す写真であり、図９（ｃ）は、図７に示す燃焼補助具７０を用いた場合の固形燃料の燃焼状態を示す写真である。
図９（ａ）、（ｂ）及び（ｃ）に示す写真から明らかなように、本発明の燃焼補助具を用いることにより、燃焼補助具を用いない場合と比較して火炎が上方に伸び、火力が強くなっており、鍋底に当たる炎の面積が大きくなり、調理用材料の調理又は調理済み料理の加熱をより短時間で行うことができる。なお、図９（ｂ）と図９（ｃ）より明らかなように、図７に示す貫通孔を構成する長辺が斜めに形成されている燃焼補助具を用いた場合の方が、図１に示す貫通孔を構成する長辺がほぼ垂直に形成されている燃焼補助具を用いた場合と比較して、より火炎がまとまって上方に伸びている。
【００４２】
図１０は、本発明の燃焼補助具が用いられる加熱コンロの別の一例を示す斜視図である。
この加熱コンロ８０では、燃焼補助具より少し大きい径の円筒形状で、空気を流通させるための開孔８１ａが設けられた固形燃料載置部８１と、その上にラッパ状に形成され、多数の略板状の五徳８３を最上部に備えた容器載置部８２とから構成されている。
この加熱コンロ８０では、固形燃料載置部８１に固形燃料２４を載置し、この固形燃料２４を取り囲むように燃焼補助具１０を載置する。空気は、開孔８１ａより流入するので、燃焼補助具１０を載置することにより、貫通孔１２を介して空気が固形燃料２４に供給され、固形燃料の初期火力を高めることができる。
【００４３】
図１１は、本発明の燃焼補助具が用いられる加熱コンロのさらに別の一例を示す斜視図である。
この加熱コンロ９０では、図１１に示すように、平面視円形で、その中心に固形燃料載置部９１ａを備えた底部９１と、この底部９１から上方に向かって延びる５つの五徳９２とを備え、五徳９２は、曲面を有し、固形燃料載置部９１ａを除く部分に、固形燃料載置部９１ａから放射状に周辺に延びている。
この加熱コンロ９０でも、固形燃料載置部９１ａに固形燃料２４を載置し、この固形燃料２４を取り囲むように燃焼補助具１０を載置する。燃焼補助具１０を載置することにより、貫通孔１２を介して空気が固形燃料２４に供給され、固形燃料２４の初期火力を高めることができる。
【００４４】
図１２は、本発明の燃焼補助具が用いられる加熱コンロのさらに別の一例を示す斜視図である。
この加熱コンロ１００では、図１２に示すように、平面視円形で、その中心に固形燃料載置部１０１ａを備えた底部１０１と、この底部１０１から上方に向かって延びる３つの五徳１０２とを備え、側面の形状は、上部に行くに従って拡径されたお椀形状に３カ所の半円形状の切欠きが形成された形状になっている。
この加熱コンロ１００でも、固形燃料載置部１０１ａに固形燃料２４を載置し、この固形燃料２４を取り囲むように燃焼補助具１０を載置する。燃焼補助具１０を載置することにより、貫通孔１２を介して空気が固形燃料２４に供給され、固形燃料２４の初期火力を高めることができる。
【００４５】
なお、本発明で用いられる固形燃料は、特に限定されるものではないが、アルコールとアルコールを固化させる難燃性の固形分とを含有するものが好ましい。
アルコールとしては、メタノールが望ましく、難燃性の固形分としては、ステアリン酸等の脂肪酸のアルカリ金属塩（石鹸成分）が望ましい。
【実施例】
【００４６】
以下に本発明をより具体的に説明する実施例を示すが、本発明はこれらの実施例だけに限定されるものではない。
【００４７】
（実施例１）
図１２に示す加熱コンロ１００を用い、固形燃料載置部１０１ａに直径４５ｍｍ、高さ３０ｍｍでアルミ箔を備えていない固形燃料２４を載置し、この固形燃料２４を囲むように図１に示す燃焼補助具１０を載置した。
【００４８】
燃焼補助具１０は、直径が７７ｍｍ、高さ５０ｍｍ、厚さ０．３ｍｍのＳＵＳ３０４製の円筒形状の燃焼補助具であり、貫通孔１２は、縦３０ｍｍ、横１５ｍｍの長方形で、貫通孔１２の最上部は、側面１１の最上部から１０ｍｍ下に位置しており、１５ｍｍの間隔をおいて形成されている。
【００４９】
次に、水３００ｃｃを入れた鍋を加熱コンロ１００にかけ、固形燃料２４に火をつけて、鍋の水が沸騰するまでの時間と、固形燃料２４が燃え尽きるまでの時間（燃焼時間）を測定した。その結果を下記の表１に示す。
【００５０】
（実施例２）
図１２に示す加熱コンロ１００を用い、固形燃料載置部１０１ａに直径４５ｍｍ、高さ３０ｍｍでアルミ箔を備えていない固形燃料２４を載置し、この固形燃料２４を囲むように図７（ａ）及び（ｂ）に示す燃焼補助具７０を載置した。
【００５１】
燃焼補助具７０は、直径が７７ｍｍ、高さ５０ｍｍ、厚さ０．３ｍｍのＳＵＳ３０４製の円筒形状の燃焼補助具であり、貫通孔７２は、図７（ｂ）に示す図面において、下辺７２ａの長さｄが１５ｍｍ、高さｈが３０ｍｍ、角度αが４５°の平行四辺形であり、上辺７２ｃの側面７１の最上部から距離Ｄが１０ｍｍで、下辺７２ａ同士の間隔が１５ｍｍとなるように形成されている。
【００５２】
次に、実施例１と同様に、水３００ｃｃを入れた鍋を加熱コンロ１００にかけ、固形燃料２４に火をつけて、鍋の水が沸騰するまでの時間と、固形燃料２４が燃え尽きるまでの時間（燃焼時間）を測定した。その結果を下記の表１に示す。
【００５３】
（比較例１）
図１２に示す加熱コンロ１００を用い、固形燃料載置部１０１ａに直径４５ｍｍ、高さ３０ｍｍでアルミ箔を備えていない固形燃料２４を載置し、この固形燃料２４を囲むように燃焼補助具と同じ形状で貫通孔が形成されていない円筒状部材を載置した。
【００５４】
円筒状部材は、直径が５４ｍｍ、高さ２９ｍｍ、厚さ０．５ｍｍのＳＵＳ３０４製の円筒形状の部材である。  
【００５５】
次に、実施例１と同様に、水３００ｃｃを入れた鍋を加熱コンロ１００にかけ、固形燃料２４に火をつけて、鍋の水が沸騰するまでの時間と、固形燃料２４が燃え尽きるまでの時間（燃焼時間）を測定した。その結果を下記の表１に示す。
【００５６】
（比較例２）
図１２に示す加熱コンロ１００を用い、固形燃料載置部１０１ａに、直径が４６ｍｍ、高さが３０ｍｍ、底部及び底部から２０ｍｍの幅の部分がアルミ箔で覆われている固形燃料２４を載置したが、燃焼補助具は、使用しなかった。
【００５７】
次に、実施例１と同様に、水３００ｃｃを入れた鍋を加熱コンロ１００にかけ、固形燃料２４に火をつけて、鍋の水が沸騰するまでの時間と、固形燃料２４が燃え尽きるまでの時間（燃焼時間）を測定した。その結果を下記の表１に示す。
【００５８】
【表１】
2016217569.tif 000003
【００５９】
表１の結果より明らかなように、本発明の燃焼補助具を使用することにより、燃焼補助具を使用しない場合（比較例２）と比べて、固形燃料の初期火力を強めることができ、対象となる鍋等を早く調理することができ、又は、加熱を早く完了させることができることが判明した。
また、固形燃料の周囲に円筒状の部材を配置しても、貫通孔が形成されていない場合（比較例１）には、固形燃料の火力が弱まってしまうことが判明した。
【符号の説明】
【００６０】
燃焼補助具  １０、１０´、３０、４０、４０´、５０、６０、７０  
側面  １１、３１、４１、４１´、５１、６１、７１
貫通孔  １２、３２、４２、４２´、７２
切欠き  １３´、５２、６２
固形燃料  ２４
辺  ４２ａ、４２ｂ´
折り返し部  ４３
下辺  ７２ａ
隣接辺  ７２ｂ
上辺  ７２ｃ
加熱コンロ  ２０、８０、９０、１００
【図１】
2016217569.tif 000004
【図２】
2016217569.tif 000005
【図３】
2016217569.tif 000006
【図４】
2016217569.tif 000007
【図５】
2016217569.tif 000008
【図６】
2016217569.tif 000009
【図７】
2016217569.tif 000010
【図８】
2016217569.tif 000011
【図１０】
2016217569.tif 000012
【図１１】
2016217569.tif 000013
【図１２】
2016217569.tif 000014
【図９】
2016217569.tif 000015